(57)【要約】      （修正有）【課題】クリーンルーム内を高清浄度に維持するため、クリーンルーム内に物品，機器等を搬入する際に使用する台車等に用いられるキャスターに付着して異物がクリーンルーム内に侵入しないようにする。【解決手段】キャスター車輪６のトレッド部を囲う環状のトレッド部カバー９と、キャスター車輪のサイドウォール部を被い前記環状のトレッド部カバーの端縁に続いて設けられた環状のサイドウォール部カバー１０とによりカバー体１を形成し、トレッド部カバーの環状の中心軸線を含む仮想平面とカバー体とが交差する２カ所の内の１カ所を切断すると共に、他の１カ所はサイドウォール部カバーのみ切断し、トレッド部カバーは屈折自在となるよう厚味を少なくする。保護カバーを装着後、該カバーの両端縁は接着シール１４で貼り合わす。【選択図】図１
0003139558.tif 000002
【実用新案登録請求の範囲】
【請求項１】
キャスターの車輪のトレッド部を囲う環状のトレッド部カバーと、キャスターの車輪のサイドウォール部を被い前記環状のトレッド部カバーの端縁に続いて設けられた環状のサイドウォール部カバーとによりカバー体を形成し、トレッド部カバーの環状の中心軸線を含む仮想平面とカバー体とが交差する２カ所の内の１カ所を切断すると共に、他の１カ所はサイドウォール部カバーのみ切断し、トレッド部カバーは屈折自在となるよう厚味を少なくしたことを特徴とするキャスター用保護カバー。
【請求項２】
キャスターの車輪に装着されたレッド部カバーとサイドウォール部カバーの切断両端部には接着シールを貼付してなる請求項１記載のキャスター用保護カバー。
【考案の詳細な説明】
【技術分野】
【０００１】
本考案は、クリーンルームを高清浄度に維持するためクリーンルーム内に塵埃などを持ち込むことのないようにするため、工場への機器或いは物品等の搬入に使用する台車のキャスターを保護し、搬入時キャスターに傷を生じ、その中に塵埃等が入り込んでクリーンルーム内に侵入するのを防ぐことを目的としてキャスターの車輪に使用する保護カバーに関する。
【背景技術】
【０００２】
クリーンルームを高清浄度に維持するためには、クリーンルーム内に細菌・塵埃等を持ち込まないことが大原則の１つにある。よって内部に持ち込まれる機器などは、工場出荷時、入念にクリーニングされ養生後に梱包される。更にクリーンルームへの搬入前には、前室で再度クリーニングが行われる。ここで機器に装着され、搬入時の移動に使用されるキャスターも清浄であることが条件となるが、移動時には通路の凹凸や金属ゴミなどによりキャスターに傷が入りやすく、傷の中に入り込んだ異物を完全にクリーニングしきれずに前室でキャスターを交換する場合もある。
【０００３】
これにより現状は、出荷前に機器のキャスターの養生として、厚めのテープ等を車輪表面に巻きつけ出荷する場合も有るが、機器重量が重く、また通路の凹凸が大きい場合などはその養生を付き破り傷が付く、もしくはテープの接着剤が残り、クリーニングがしずらい問題があった。
【０００４】
また、キャスター構造を車輪の支持部材にスプリングを介在させたものとし、キャスターの損壊を防止するもの（特許文献１参照）も知られてはいるが、この装置は安定搬送に関しては効果を有すると見られるが、接地したキャスターによる異物の持ち込みに対しては効果はない。
【特許文献１】登録実用新案第３０５６７０３号公報
【考案の開示】
【考案が解決しようとする課題】
【０００５】
本考案は、前記の点に鑑みて、クリーンルーム内を高清浄度に維持するために、クリーンルーム内に物品，機器等を搬入する際に使用する台車等に用いられるキャスターに付着して異物がクリーンルーム内に侵入しないようにすることを目的として、搬送の途次台車のキャスターを被い、キャスターの表面を保護するキャスター保護カバーをキャスターに取り付け、清掃エリアに入る際にそれを取り外し得るようにした。
【課題を解決するための手段】
【０００６】
本考案キャスター用保護カバーは、キャスターの車輪のトレッド部を囲う環状のトレッド部カバーと、キャスターの車輪のサイドウォール部を被い前記環状のトレッド部カバーの端縁に続いて設けられた環状のサイドウォール部カバーとによりカバー体を形成し、トレッド部カバーの環状の中心軸線を含む仮想平面とカバー体とが交差する２カ所の内の１カ所を切断すると共に、他の１カ所はサイドウォール部カバーのみ切断し、トレッド部カバーは屈折自在となるよう厚味を少なくしている。そして、キャスター用保護カバー装着時にはサイドウォール部カバーとトレッド部カバーの切断面に接着シールを貼り付け固定する。
【考案の効果】
【０００７】
本考案キャスター用保護カバーは、キャスターの車輪のトレッド部を囲う環状のトレッドカバーと、キャスターの車輪のサイドウォール部を被うサイドウォール部カバーとにより形成したカバー体を、クリーンルームに機器等を搬入する台車のキャスターの車輪を被って取り付けキャスターの車輪のトレッド部，サイドウォール部をカバーして保護するために、台車を走行させる際に台車のキャスターの台車トレッド部，サイドウォール部等を路面によって傷めることがなく、従って、走行中に前記車輪の傷めた部分に挾持された状態でクリーンルーム内に異物が持ち込まれることがない。キャスターの車輪に取り付けられたカバー体は、クリーンルームに入る際に取り除かれる。
これにより高清浄度を求められる機器の移動用キャスターを傷つけ汚すことなく、組立，搬入，据付を行うことが出来る。
【考案を実施するための最良の形態】
【０００８】
キャスター用保護カバー１の実施の一例を図面と共に次に説明する。
キャスター２の基本的構造を図３に示す。キャスター２は台板３から下方向に突出した支持腕４，４間の軸５に車輪６が支持されている。そして、台板３は車輪６の方向を変更することを可能にして適宜手段で搬送台車等に取り付けられている。
【０００９】
上記キャスター２を取り付けた台車（図示せず）に機器等を乗せてクリーンルームなどに搬送すると、機器等の重量が有るときは勿論、そうでなくとも、車輪トレッド部７或いはサイドウォール部８に傷が付き、その傷に異物が付着して台車と共にクリーンルーム内に異物が持ち込まれることになる。
【００１０】
そこで車輪６を図１Ａ，Ｂに示す如きキャスター用保護カバー１で被ってキャスター２の車輪６を保護する。
キャスター用保護カバー１は、キャスター２の車輪６のトレッド部７を被う環状のトレッド部カバー９と、キャスター２の車輪６のサイドウォール部８を被う、トレッド部カバー９に続くフランジよりなる環状のサイドウォール部カバー１０とにより構成されている。そして、環状をなすトレッド部カバー９の中心軸線Ｓを含む仮想平面Ｈ，Ｈとカバー体９とが交差する２個所Ｃ，Ｃ´（図１Ａに図示）の内の第１の個所Ｃのトレッド部カバー９とサイドウォール部カバー１０とを切断すると共に、他の第２の個所Ｃ´はサイドウォール部カバー１０のみ切断しトレッド部カバー９の部分は屈折自在の中央継ぎ目部１２として厚味を少なくしている。
【００１１】
即ち、キャスター用保護カバー１は、キャスター２の車輪６に容易に脱着できるよう第２の個所Ｃ´の中央継ぎ目部１２で２つの半円状の連続した形状となる、
キャスター用保護カバー１は、プレス成型直後にキャスター２の車輪６と同形状に曲げ戻し、冷却後は塑性変形され巻きぐせが付き、２つのＣ字形が環状に近づく。
【００１２】
キャスターの車輪６に保護カバー１を取り付けるには図２の如く巻きぐせの付いたキャスター用保護カバー１を一時的に広げ、キャスター２の車輪６に合わせ取り付ける。そして、２分割のＣ部分の切れ目１３は、繊維の入った頑強なテープ１４にて固定する。テープ１４は長距離の移動時に、地面と接触し徐々に磨耗し切れてしまう可能性があるために、地面と接触しないサイドウォール部カバー１０まで貼り付けると良い。
【００１３】
キャスター用保護カバー１を取り外すには、テープ１４をカッター等で切り離し、巻きぐせを広げることで容易に可能である。この時、取外ししやすいように機器自体をジャッキ等で持ち上げておくと、クリーニングを含めた作業が容易となる。キャスター用保護カバー１は使用後のリサイクルを考慮しＰＥＴ材として、厚み使用時の強度を考慮し１ｍｍとした。使用後はＰＥＴ材専用のリサイクル回収へ廃棄すれば良い。
【産業上の利用可能性】
【００１４】
上記実施例の説明ではキャスターの車輪には保護カバーを取り付けたケースについて説明をしているが、クリーンルームに限らず、外部の菌や異物の侵入を防止する手段が必要な病院，食品工場等のスペースへの物の持ち込み等において、使用する配送装置の車輪に取り付け使用するのにも、本キャスター用保護カバーは適している。
【図面の簡単な説明】
【００１５】
【図１】本考案キャスター用保護カバーを示し、Ａは側面図、Ｂは開いた状態の斜視図。
【図２】キャスターに、キャスター用保護カバーを取り付け固定する操作を示す斜視図。
【図３】キャスターの斜視図。
【符号の説明】
【００１６】
１  キャスター用保護カバー
２  キャスター
３  台板
４  支持腕
５  軸
６  車輪
７  トレッド部
８  サイドウォール部
９  トレッド部カバー
１０  サイドウォール部カバー
１２  中央継ぎ目部
１３  切れ目
１４  テープ
Ｓ  （トレッド部カバーの）環状の中心軸線
Ｈ−Ｈ  仮想平面
【図１】
0003139558.tif 000003
【図２】
0003139558.tif 000004
【図３】
0003139558.tif 000005